(57)【特許請求の範囲】
【請求項１】
頂部に円形のガイド孔部を有するとともにこのガイド孔部の周囲に環状に設けられ下面にはガイド孔部を中心として同心的に一対の係合孔が形成された環状部を有し、かつこの環状部の一対の係合孔の内側にガイド孔部を中心として同心的に一対の引掛形給電端子を有する灯体取付ベースに取り付けられる灯体であって、
頂部に台座部が設けられ、前記灯体取付ベースに挿入される灯体本体と、
この灯体本体の台座部の中央に設けられ、前記灯体取付ベースの円形のガイド孔部に回動可能に挿入されて灯体本体の挿入方向と交差する方向の位置を灯体取付ベースに対して位置決めするガイド突部と、
このガイド突部に設けられ、ガイド突部が挿入される前記灯体取付ベースのガイド孔部から通気可能とする通気孔と、
前記灯体本体のガイド突部より外側で台座部の周辺側にガイド突部を中心として同心的に設けられ、前記灯体取付ベースの環状部の一対の係合孔を挿通して一対の引掛形給電端子に機械的および電気的に接続される一対の引掛形受電端子と
を具備していることを特徴とする灯体。
【請求項２】
請求項１記載の灯体を取り付ける灯体取付ベースであって、
前記灯体が挿入される枠部と、
この枠部の頂部に設けられ、前記灯体のガイド突部が回動可能に挿入されて灯体の挿入方向と交差する方向の位置を枠部に対して位置決めするとともにガイド突部の通気孔から通気可能とする円形のガイド孔部と、
前記枠部の頂部のガイド孔部の周囲に環状に設けられ、下面には前記灯体の一対の引掛形受電端子が挿通される一対の係合孔がガイド孔部を中心として同心的に設けられた環状部と、
この環状部の一対の係合孔の内側にガイド孔部を中心として同心的に設けられ、前記灯体の一対の引掛形受電端子が環状部の一対の係合孔を挿通して電気的および機械的にそれぞれ接続される一対の引掛形給電端子と
を具備していることを特徴とする灯体取付ベース。
【請求項３】
枠部の頂部に端子台が設けられた
ことを特徴とする請求項２記載の灯体取付ベース。
【請求項４】
請求項２または３記載の灯体取付ベースと、
この灯体取付ベースに取り付けられる請求項１記載の灯体と
を具備していることを特徴とする照明器具。
【発明の詳細な説明】
【０００１】
【発明の属する技術分野】
本発明は、施工性が考慮された灯体、灯体取付ベース、照明器具に関する。
【０００２】
【従来の技術】
従来、ダウンライトにおいては、取付面に埋め込まれる灯体取付ベースと、この灯体取付ベースに取り付けられる灯体とを分離した構造がある。
【０００３】
このようなダウンライトでは、灯体取付ベースを取付面に予め埋込設置し、この灯体取付ベースの内側を通じて取付面側から引き出した電源線を灯体に接続し、この灯体を灯体取付ベースの内側に挿入し、灯体側の係止機構を灯体取付ベース側の係止機構に機械的に係止させる構造が採られている。
【０００４】
【発明が解決しようとする課題】
しかしながら、従来の構造では、灯体の取付時に、灯体を灯体取付ベースの内側に挿入した状態、すなわち係止機構部分が外部から視認できない状態で、灯体側の係止機構を灯体取付ベース側の係止機構に機械的に係止させなければならないため、灯体側の係止機構と灯体取付ベース側の係止機構の位置合わせが難しく、灯体の施工に手間がかかる問題がある。
【０００５】
本発明は、このような点に鑑みなされたもので、施工性を向上できる灯体、灯体取付ベースおよび照明器具を提供することを目的とする。
【０００６】
【課題を解決するための手段】
請求項１記載の灯体は、頂部に円形のガイド孔部を有するとともにこのガイド孔部の周囲に環状に設けられ下面にはガイド孔部を中心として同心的に一対の係合孔が形成された環状部を有し、かつこの環状部の一対の係合孔の内側にガイド孔部を中心として同心的に一対の引掛形給電端子を有する灯体取付ベースに取り付けられる灯体であって、頂部に台座部が設けられ、前記灯体取付ベースに挿入される灯体本体と、この灯体本体の台座部の中央に設けられ、前記灯体取付ベースの円形のガイド孔部に回動可能に挿入されて灯体本体の挿入方向と交差する方向の位置を灯体取付ベースに対して位置決めするガイド突部と、このガイド突部に設けられ、ガイド突部が挿入される前記灯体取付ベースのガイド孔部から通気可能とする通気孔と、前記灯体本体のガイド突部より外側で台座部の周辺側にガイド突部を中心として同心的に設けられ、前記灯体取付ベースの環状部の一対の係合孔を挿通して一対の引掛形給電端子に機械的および電気的に接続される一対の引掛形受電端子とを具備しているものである。そして、灯体本体の頂部に設けられたガイド突部を灯体取付ベースの円形のガイド孔部に挿入することにより、灯体本体の挿入方向と交差する方向の位置を灯体取付ベースに対して位置決めし、この灯体本体を灯体取付ベースに対して組み込みがガイドされるとともに、ガイド突部を中心として同心的に設けられた一対の引掛形受電端子が灯体取付ベースの環状部に設けられた一対の係合孔および一対の引掛形給電端子に対して同じ円周位置に位置決めされる。そのため、灯体本体を回動させるだけで一対の引掛形受電端子を環状部の一対の係合孔に挿通できて一対の引掛形給電端子に容易に接続でき、灯体の施工性を向上できる。しかも、ガイド突部の通気孔が灯体取付ベースのガイド孔部から通気可能にできる。
【０００７】
請求項２記載の灯体取付ベースは、請求項１記載の灯体を取り付ける灯体取付ベースであって、前記灯体が挿入される枠部と、この枠部の頂部に設けられ、前記灯体のガイド突部が回動可能に挿入されて灯体の挿入方向と交差する方向の位置を枠部に対して位置決めするとともにガイド突部の通気孔から通気可能とする円形のガイド孔部と、前記枠部の頂部のガイド孔部の周囲に環状に設けられ、下面には前記灯体の一対の引掛形受電端子が挿通される一対の係合孔がガイド孔部を中心として同心的に設けられた環状部と、この環状部の一対の係合孔の内側にガイド孔部を中心として同心的に設けられ、前記灯体の一対の引掛形受電端子が環状部の一対の係合孔を挿通して電気的および機械的にそれぞれ接続される一対の引掛形給電端子とを具備しているものである。そして、枠部の頂部に設けられた円形のガイド孔部に請求項１記載の灯体のガイド突部を挿入することより、枠部に対して灯体の挿入方向と交差する方向の位置を位置決めし、この枠部に取り付けられる灯体の組み込みがガイドされるとともに、環状部にガイド孔部を中心として同心的に設けられた一対の係合孔および一対の引掛形給電端子に対して灯体側の一対の引掛形受電端子が同じ円周位置に位置決めされる。そのため、灯体本体を回動させるだけで一対の引掛形受電端子を環状部の一対の係合孔に挿通できて一対の引掛形給電端子に容易に接続でき、灯体取付ベースに対する灯体の施工性を向上できる。しかも、ガイド孔部によりガイド突部の通気孔から通気可能にできる。
【０００８】
請求項３記載の灯体取付ベースは、請求項２記載の灯体取付ベースにおいて、枠部の頂部に端子台が設けられたものであり、特別な端子台が別途必要なく、部品点数の削減、構成の簡素化が図られる。
【０００９】
請求項４記載の照明器具は、請求項２または３記載の灯体取付ベースと、この灯体取付ベースに取り付けられる請求項１記載の灯体とを具備しているものであり、施工性が向上する。
【００１０】
【発明の実施の形態】
以下、本発明の一実施の形態を図面を参照して説明する。
【００１１】
図１ないし図９に第１の実施の形態としてダウンライトの構成を示す。図８はダウンライトの施工状態の側面図を示し、図９は図８のベースを断面とした図８に対応する側面図を示し、これらの図において、１はダウンライトを取り付ける取付面としての天井板で、この天井板１にはダウンライトを埋め込み設置するための円形の埋込孔２が形成されている。埋込孔２には、天井板１の上方の天井空間に配線される図示しない電源線や別設される照明器具などに電源を送るための図示しない送り配線が引き込まれる。
【００１２】
ダウンライトは、灯体取付ベース11および灯体12にて構成され、灯体取付ベース11が天井板１の埋込孔２に埋め込み設置され、この灯体取付ベース11に対して灯体12が着脱自在に装着される。
【００１３】
図１はダウンライトの灯体取付ベース11と灯体12の分解状態の斜視図を示し、図２は灯体取付ベース11の分解状態の斜視図を示し、図４は灯体取付ベース11の底面図を示す。灯体取付ベース11は、絶縁性を有する合成樹脂製のベース本体21を有している。このベース本体21には、埋込孔２に挿入されて埋め込まれる枠部22が形成され、この枠部22の下縁部から外径方向に突出して天井板１の表面（下面）に係合される係合部としての環状のフランジ部23が形成されている。
【００１４】
枠部22には、下部側に円筒部24が形成され、この円筒部24の対称位置から一対の立上部25が立ち上げ形成され、両立上部25の上端間に架台部26が形成され、これら円筒部24、立上部25および架台部26の間に開放部27が形成されている。枠部22の内側には、灯体12が挿入される灯体挿入部28が下方に開口形成されている。
【００１５】
各立上部25には、外面に凹部29が形成されているとともにこの凹部29の内側に取付口30が形成され、この取付口30の上側中央に切欠部31が形成されているとともに、取付口30の下側中央に溝部32が形成されている。凹部29の右上には凹状の段部33が形成され、この段部33に取付孔34が形成されている。
【００１６】
各立上部25には、係止ユニット35がそれぞれ取り付けられる。この係止ユニット35は、支持板36、送りねじ37、移動体38、係止部としての係止体39、付勢手段としてのスプリング40にて構成されている。
【００１７】
支持板36は、凹部29に嵌合される大きさに形成され、下側部には溝部32に係合される引掛片部41が突出形成され、右上側部には内面側（ベース本体21側）に折曲されて段部33に係合する取付片部42が形成され、取付片部42には挿通孔43が形成されている。支持板36の中央には開口部44が形成され、この開口部44の上下縁部から内面側に折曲されて支持片部45が形成され、この各支持片部45に支持孔46が形成されている。開口部44の上縁の支持片部45の両側には外面側に突出されるとともに下方へ向けて折曲された退避手段としての一対のガイド片部47が形成されている。なお、詳細は後述するが、支持板36のガイド片部47が設けられた上端側（埋込方向の端部）が、係止体39を天井板１に対して非係合位置に退避させる所定位置として構成される。
【００１８】
送りねじ37は、その上下端部が支持板36の上下の支持片部45の支持孔46に回動自在に係合され、送りねじ37の上端部に係合されるＣリング48によって抜け止めされている。送りねじ37の下端部にはドライバーなどの工具を係合して回動操作する係合部49が形成されている。
【００１９】
移動体38には、中央に送りねじ37に螺合するねじ孔50が形成され、両側縁に支持板36の開口部44の両側縁部にスライド自在に係合するスライド溝51が形成されている。移動体38の外側縁部近傍には一対の係合孔52が形成され、ねじ孔50の両側には一対の通孔53が形成され、内側縁部には一対の引掛片部54が立ち上げ形成されている。そして、移動体38は、送りねじ37の回動により、上下方向（埋込方向）に沿って移動される。
【００２０】
係止体39は、係止板部55およびこの係止板部55の両側縁部から内面側に折曲形成された側板部56を有し、支持板36の開口部44に挿通可能とする幅に形成されている。係止板部55の上端には移動体38の各係合孔52に下側から差し込まれて係合されるほぼＬ字形の一対の係合片部57が形成されており、係止体39は、係合片部57を支点として、支持板36側にほぼ平行になる非係合位置と側方に斜めに突出する係合可能位置との間で揺動可能とされている。各側板部56の上端から側方にストッパ58が突設されており、係止体39が係合可能位置へ向けて揺動したときにストッパ58が支持板36の内面側に当接することによって所定の係合可能位置で係止体39の揺動が規制される。
【００２１】
スプリング40は、ばね線材をほぼコ字形に成形して構成されており、その両端部が移動体38の各通孔53の下側から挿入されるとともに各引掛片部54に引っ掛けられ、中間部が係止体39の内面側に当接され、その係止体39を係合可能位置へ向けて付勢する。
【００２２】
そして、移動体38に係止体39およびスプリング40を組み込むとともに送りねじ37を螺合し、係止体39を支持板36の内面側から開口部44に通すとともに、移動体38のスライド溝51を支持板36に係合し、かつ、送りねじ37の上下端を支持板36の支持片部45に係合するとともにＣリング48で止めることにより、係止ユニット35を組み立てる。組み立てられた係止ユニット35は、支持板36の引掛片部41をベース本体21の溝部32に係合して、支持板36を凹部29に嵌合するとともに取付片部42を段部33に嵌合し、取付ねじ59を取付片部42の挿通孔43を通じて段部33の取付孔34に螺合することにより、ベース本体21の立上部25に固定される。
【００２３】
また、ベース本体21の架台部26には、中央に上下方向に開口するガイド孔部61が形成されており、このガイド孔部61の周囲に環状部62が形成されるとともに、この環状部62の一端側に端子台63が一体に形成され、これら環状部62および端子台63の上面にはカバー64が着脱可能に取り付けられる。
【００２４】
環状部62は、底面部65、この底面部65の内外周縁部から立ち上げられた内周部66および外周部67を有し、これらによって上方に開口する端子収納溝68が形成されている。この端子収納溝68内には、端子台63と反対側に取付孔69を有するボス70が立設され、架台部26の両端方向と交差する両側に複数の端子保持片71が立設されている。
【００２５】
端子台63には、凹状の２組一対の端子収納部72が並列に形成されているとともに、各端子収納部72の外端側にそれぞれ連通する電線挿入孔73の下部側が形成されている。各組の端子台収納部72の環状部62側に取付孔74が形成されているとともに、両組の端子台収納部72の間に取付孔75が形成されている。
【００２６】
環状部62の底面部65には、架台部26の両端方向と交差する方向の対称位置に係合孔77が対称形状に形成されている。この係合孔77は、底面部65の外周側に寄って形成された溝孔部78、この溝孔部78の底面方向から視て（図４に示す状態で）反時計回り方向の端部に差込孔部79が形成され、これら溝孔部78および差込孔部79にてほぼＬ字形に形成されている。
【００２７】
環状部62の端子収納溝68には、架台部26の両端方向と交差する方向の対称位置に、一対の端子体80が配設される。この各端子体80は、内周部66と端子保持片71との間に挿入されて保持される導電板81を有し、この導電板81の中間部外面に引掛形給電端子82がスポット溶接によって取り付けられ、導電板81の端子台63に臨む端部に端子板83がスポット溶接によって取り付けられている。
【００２８】
各引掛形給電端子82は、ガイド孔部61を中心として同心的に、溝孔部78の内周側の縁部上に配置されるもので、差込孔部79に臨む一端には上方に突出する係止突部84が形成され、他端には山形凹状の係合凹部85が形成されている。
【００２９】
各端子板83は、端子台63の各組の端子収納部72上に配置されるもので、端子台63の取付孔74の位置に対応して挿通孔86が形成されているとともに、先端側に窓孔87が形成されている。端子台63の各端子収納部72には、端子板83と組み合わされる鎖錠端子88がそれぞれ配設される。
【００３０】
そして、端子台63の各端子収納部72に鎖錠端子88を挿入した後、各端子体80の導電板81および引掛形給電端子82を環状部62の端子収納溝68に挿入するとともに、各端子体80の端子板83を端子台63上に合わせ、取付ねじ89を端子板83の挿通孔86を通じて端子台63の取付孔74に螺合することにより、各端子体80が架台部26に取り付けられる。
【００３１】
また、カバー64には、環状部62の上面を覆う環状カバー部90および端子台63の上面を覆う端子台カバー部91が形成され、環状部62の取付孔69および端子台63の取付孔75の位置に対応して取付孔92，93が形成され、取付ねじ94を取付孔92，93を通じて各取付孔69，75に螺合することにより、カバー64が架台部26に取り付けられる。
【００３２】
端子台カバー部91には、先端側下面に各電線挿入孔73の上部側が形成され、中央に窓孔95が形成されている。窓孔95の内側にはリリース釦96が配設され、このリリース釦96には端子板83の窓孔87を挿通して各鎖錠端子88に係合可能とする押動部97が形成されている。
【００３３】
そして、図示しない電源線や送り配線の被覆を取り除いた一対の芯線の先端を端子台63の電線挿入孔73に挿入することにより、芯線が端子板83と鎖錠端子88との間に圧入されて、電気接続状態で抜け止め係止される。
【００３４】
図３は灯体12の分解状態の斜視図、図５は灯体12の平面図、図６は図５のＡ−Ａ断面図、図７は図６に示すランプソケットがランプ着脱位置に回動した図６に対応する断面図である。
【００３５】
灯体12は、灯体本体としての灯体容器101を有し、この灯体容器101は、反射体102およびこの反射体102の下部に取り付けられるフランジ体103にて構成され、下面には照射開口104が開口形成されている。
【００３６】
反射体102は、絶縁性を有する合成樹脂製で、下端側が広がる円錐形状に形成され、その下端外面に挿通孔105を有する複数の取付片部106が突出形成されている。フランジ体103は、例えば合成樹脂製あるいは金属製で、反射体102の下端形状に対応して環状に形成され、その外面に取付孔107を有する複数のボス部108が形成されている。そして、取付ねじ109を反射体102側の挿通孔105を通じてフランジ体103側の取付孔107に螺合することにより、反射体102とフランジ体103が連結される。
【００３７】
反射体102の側面にはソケット取付用凹部110が形成され、このソケット取付用凹部110には開口部111が形成されている。ソケット取付用凹部110の両側下部には取付台部112が形成され、この各取付台部112には上方に開口する軸受溝部113が相対して形成されているとともに、各取付台部112の上面に取付孔114が形成されている。
【００３８】
反射体102のソケット取付用凹部110にはランプソケット115が取り付けられる。このランプソケット115は、ソケットホルダ116、受金117、一対のソケット端子118a，118b、ソケットカバー119にて構成されている。
【００３９】
ソケットホルダ116は、絶縁性を有する合成樹脂製で、支持板部120を有し、この支持板部120の両側下端に反射体102の軸受溝部113に回動自在に係合される軸部121が突出形成されている。支持板部120の外面にはソケット筒部122が突出形成され、このソケット筒部122の内部は軸方向に開口形成されている。ソケット筒部122の上面には、支持板部120側に端子保持部123が突出形成されているとともに、この端子保持部123からソケット筒部122の外端にかけてなだらかに湾曲して連続する端子係合部124が突出形成されている。端子保持部123には一対のソケット端子118a，118bを係合する一対の端子係合溝125が形成され、端子係合部124には一方の端子係合溝125の位置に対応してソケット筒部122の内側に連通する連通部126が形成されている。ソケット筒部122の外端下部には取付孔127が形成されている。
【００４０】
受金117は、エジソンタイプのＥ１７型などの口金128を有するランプ129を接続可能とし、ねじ山が螺旋状に形成された円筒状の接続筒部130を有し、この接続筒部130の一端に端面板部131が形成され、この端面板部131の中心部から周縁の一部にかけて切欠部132が形成されているとともに、切欠部132の近傍に挿通孔133が形成されている。
【００４１】
一対のソケット端子118a，118bは、その中間部が端子係合部124上に接合配置されるとともに、その一端側近傍に端子係合溝125に保持される保持突部134が形成され、一端には端子係合溝125から上方に突出する円弧状の係合部135が形成されている。一方のソケット端子118aの他端には、連通部126を通じてソケット筒部122内に進入するとともに受金117に結合される接続片部136が形成され、この接続片部136には挿通孔137が形成されている。他方のソケット端子118bの他端には、ソケット筒部122の外端部を通じてソケット筒部122内に進入するとともに受金117の切欠部132に非接触状態に配置される接点片部138が形成され、この接点片部138の基端部に挿通孔139が形成されている。
【００４２】
ソケットカバー119は、絶縁性を有する合成樹脂製で、端子係合部124の上面を覆う端子カバー部140およびソケット筒部122の端面を覆う端板部141を有し、端子カバー部140の先端には端子保持部123に係合する突起142が突出形成されているとともに、端板部141の下側に挿通孔143が形成されている。端板部141の内面には、ソケット端子118a，118bの挿通孔137，139の位置に対応して図示しない取付孔が形成されている。
【００４３】
そして、ランプソケット115を組み立てるには、他方のソケット端子118bの挿通孔139に通した取付ねじ144をソケットカバー119の内面に螺合して取り付けるとともに、受金117の挿通孔133および一方のソケット端子118aの挿通孔137に通した取付ねじ145をソケットカバー119の内面に螺合して一体的に取り付け、これにより、受金117と一方のソケット端子118aとを電気的に接続するとともに、他方のソケット端子118bの接点片部138が受金117の切欠部132に非接触状態に配置する。ソケットカバー119に取り付けた受金117をソケット筒部122に外方から挿入するとともに、各ソケット端子118a，118bの保持突部134を端子保持部123の各端子係合溝125に係合し、ソケットカバー119の突起142を端子保持部123に係合し、ソケットカバー119の挿通孔143に通した取付ねじ146をソケット筒部122の取付孔127に螺合して取り付ける。なお、ランプソケット115の組立順序はこの順序に限られるものではない。
【００４４】
そして、このように組み立てられたランプソケット115を反射体102に取り付けるには、ソケットホルダ116の両側下部の軸部121を反射体102のソケット取付用凹部110の両側下部の各軸受溝部113に上方から係合し、軸受溝部113の上面を閉塞する押板147を取付台部112上に配置し、押板147の挿通孔148に通した取付ねじ149を取付台部112の取付孔114に螺合して取り付ける。
【００４５】
このようにして、反射体102に取り付けられたランプソケット115は、軸部121を支点として、ランプ接続方向が反射体102の照射開口104にほぼ平行な横向きのランプ点灯位置と、照射開口104にほぼ垂直に向かう縦向きのランプ着脱位置とに回動可能に支持される。なお、ランプソケット115のランプ点灯位置は、端子保持部123の上面が開口部111の上縁に当接することで規制されるとともに、後述する係合端子168との係合によって保持される。
【００４６】
また、反射体102の上部には、環状の台座部150が形成され、この台座部150にはソケット取付用凹部110の上方に突出する突出部151が形成されている。台座部150の上面には突出部151を通る中心線を境として両側に一対の凹部152が区画形成され、各凹部152の突出部151に臨む端部に凹状の端子嵌合部153が形成されている。各端子嵌合部153には、内径側に取付孔154が形成され、外径側に上下方向に貫通する空間部155が形成されている。両空間部155の仕切部分の上面には取付孔156が形成されている。
【００４７】
一方の凹部152の突出部151とは反対側の端部および他方の凹部152の突出部151側の端部の対称位置には端子取付部157がそれぞれ形成され、一方の端子取付部157には取付孔158および突部159が形成され、他方の端子取付部157には突部160が形成されている。
【００４８】
各端子取付部157には、ガイド突部184を中心として同心的に一対の引掛形受電端子161が取り付けられる。この引掛形受電端子161は、導電性を有する金属製で、取付部163を有し、この取付部163の外側縁部から立ち上げられるとともに内方へ向けて引掛爪部164が折曲されたほぼＬ字形の引掛片部165が形成されている。取付部163には挿通孔166および嵌合孔167が形成されている。引掛爪部164は下面側に突出する山形形状に形成されている。
【００４９】
各端子嵌合部153には係合端子168が取り付けられる。この係合端子168は、端子嵌合部153上に嵌合される取付片部169を有し、この取付片部169には取付孔170が形成され、取付片部169の外端には下方に折曲されて空間部155に進入する接続片部171が形成され、この接続片部171の先端にソケット端子118a，118bの係合部135と係合可能とする円弧状の係合部172が形成されている。
【００５０】
一方の凹部152側には一方の引掛形受電端子161と係合端子168とを接続するための導電板173が配設される。この導電板173は、凹部152に沿った半円状に形成され、引掛形受電端子161と接続される一端には挿通孔174および嵌合孔175が形成され、係合端子168に接続される他端には挿通孔176が形成されている。
【００５１】
そして、台座部150に各端子部品を組み込むには、一対の係合端子168を各端子嵌合部153に嵌合し、導電板173の嵌合孔175を一方の凹部152の突部159に嵌合してその導電板173を一方の凹部152に嵌合し、一方の引掛形受電端子161の嵌合孔167を導電板173の嵌合孔175から上方に突出する突部159に嵌合してその引掛形受電端子161を導電板173上に載置し、他方の引掛形受電端子161の嵌合孔167を他方の凹部152の突部159に嵌合してその引掛形受電端子161を他方の凹部152に嵌合する。一方の引掛形受電端子161の挿通孔166および導電板173の挿通孔174に通した取付ねじ177を一方の凹部152の取付孔158に螺合して共締めし、他方の引掛形受電端子161の挿通孔166および他方の係合端子168の挿通孔174に通した取付ねじ178を端子嵌合部153の取付孔154に螺合して共締めし、導電板173の挿通孔176および一方の係合端子168の挿通孔174に通した取付ねじ179を端子嵌合部153の取付孔154に螺合して共締する。また、突出部151に端子カバー180を嵌合し、この端子カバー180の挿通孔181に通した取付ねじ182を突出部151の取付孔156に螺合して取り付ける。
【００５２】
そして、台座部150に各端子部品を組み込むことにより、一方の引掛形受電端子161と一方の係合端子168とが導電板173を通じて電気的に接続され、他方の引掛形受電端子161と他方の係合端子168とが直接接触して電気的に接続される。
【００５３】
そして、ランプソケット115がランプ点灯位置にある場合、ソケット端子118a，118bと係合端子168が係合して電気的に接続されるとともに保持され、また、ランプソケット115がランプ着脱位置に回動した場合、ソケット端子118a，118bと係合端子168が離れ、電気的な接続が解除される。したがって、ソケット端子118a，118bと係合端子168とで電気接続手段183が構成されている。
【００５４】
また、反射体102の頂部には、上方に突出するガイド突部184が形成され、このガイド突部184の側部に複数の通気孔185が形成されている。
【００５５】
なお、反射体102およびフランジ体103の内面は鏡面あるいは白色面に形成したり、またはフランジ体103の内面のみは黒色面に形成してもよい。
【００５６】
次に、第１の実施の形態の作用を説明する。
【００５７】
ダウンライトを施工するには、まず、図８および図９において、天井板１に予め形成された埋込孔２から電源線および必要に応じて送り配線を引き出し、それらの芯線をベースの灯体取付ベース11の端子台63の電線挿入孔73に振り分けてそれぞれ差し込み接続する。
【００５８】
灯体取付ベース11の枠部22を埋込孔２に下方から挿入して押し上げる。このとき、各係止体39が枠部22側に接近する非係合位置に揺動したときの下端とフランジ部23との間に天井板１の厚み以上の間隔があくように、送りねじ37を回動操作して係止体39を上方に移動させておく。ただし、係止体39を上方のガイド片部47に係合させず、係止体39を枠部22の側方の係合可能位置に突出した状態としておく。
【００５９】
灯体取付ベース11の枠部22を埋込孔２に挿入していくと、枠部22の側方に突出する各係止体39が埋込孔２の内縁に当接し、スプリング40の付勢に抗して係止体39が非係合位置に押動されながら、埋込孔２の挿入が継続される。
【００６０】
そして、各係止体39の下端が埋込孔２の上端から外れると、スプリング40の付勢によって非係合位置に押動されていた係止体39が枠部22の側方の係合可能位置に突出する。そのため、灯体取付ベース11の押し上げを解除しても、一対の係止体39が天井板１上に当接し、灯体取付ベース11が天井板１に仮止めされ、灯体取付ベース11から手を離すことが可能となる。
【００６１】
灯体取付ベース11の内側の灯体挿入部28を通じて、送りねじ37の下方に臨む係合部49にドライバーなどの工具を係合してその送りねじ37を回動させることにより、係止体39を灯体取付ベース11に対して相対的に下降させ、すなわち天井板１上に当接している係止体39に対して灯体取付ベース11を上昇させる。これにより、フランジ部23を天井板１に接合させ、係止体39とフランジ部23との間で天井板１を挟持し、灯体取付ベース11を天井板１に固定する。
【００６２】
次に、灯体12を灯体取付ベース11の灯体挿入部28に下方から挿入して押し上げる。このとき、灯体12の灯体取付ベース11に対する向きは、灯体12のランプソケット115が灯体取付ベース11の開放部27に一致する向き、すなわち灯体12の一対の引掛形受電端子161と灯体取付ベース11の引掛形給電端子82とが一致する向きとする。また、ランプソケット115を照射開口104にほぼ垂直に向かう縦向きのランプ着脱位置に回動させておけば、灯体12の側方にランプソケット115が突出しないので、灯体12を水平姿勢のまま灯体取付ベース11の灯体挿入部28に下方から挿入することができる。なお、ランプソケット115が照射開口104にほぼ平行な横向きのランプ点灯位置にあるまま灯体取付ベース11の灯体挿入部28に挿入する場合には、ランプソケット115の側方に突出する先端側を上方に向けて灯体取付ベース11の灯体挿入部28に挿入し、そのランプソケット115の先端側を灯体取付ベース11の開放部27に臨ませた状態で灯体12を水平姿勢に回動させ、その後は灯体12を水平姿勢のまま灯体取付ベース11の灯体挿入部28に下方から挿入する。
【００６３】
そして、灯体12の灯体取付ベース11の灯体挿入部28の奥側まで挿入すると、灯体12の頂部から突出するガイド突部184が灯体取付ベース11の環状部62のガイド孔部61に嵌合し、灯体12の一対の引掛形受電端子161と灯体取付ベース11の一対の引掛形給電端子82とが位置決めされる。
【００６４】
そして、灯体12の一対の引掛形受電端子161を灯体取付ベース11の一対の引掛形給電端子82に係合させる。すなわち、まず、各引掛形受電端子161を各係合孔77の差込孔部79を通じて環状部62の内側に差し込み、各引掛形受電端子161の上端の引掛爪部164を各引掛形給電端子82の係止突部84の上方に移動させる。この差込状態で、灯体12を底面から視て時計回り方向に回動させ、各引掛形受電端子161の引掛爪部164を各引掛形給電端子82の係止突部84の上方を乗り越えさせるとともに、各引掛形受電端子161の引掛片部165を各係合孔77の溝孔部78に移動させる。灯体12の回動は、各引掛形受電端子161の引掛片部165が各係合孔77の溝孔部78の端部に当接することによって規制される。そして、灯体12の押し上げを解除することにより、各引掛形受電端子161の引掛爪部164が各引掛形給電端子82の係合凹部85に係合するとともに灯体12の自重が加わって圧接する。したがって、引掛形給電端子82と引掛形受電端子161の係合により、灯体取付ベース11と灯体12の機械的な係止および電気的な接続が同時に行なわれる。
【００６５】
なお、ランプソケット115をランプ着脱位置に回動させて灯体12を灯体取付ベース11に取り付けた場合には、ランプソケット115をランプ点灯位置に回動させる。ランプソケット115をランプ点灯位置に回動させることにより、ランプソケット115側のソケット端子118a，118bと灯体容器101側の係合端子168とが係合し、電気的に接続されるとともに、その係合にてランプソケット115をランプ点灯位置に保持される。
【００６６】
このように、電源線および送り配線を灯体取付ベース11に接続する工程、灯体取付ベース11を天井板１に固定する工程、灯体12を灯体取付ベース11に装着する工程により簡単に施工でき、施工の手間および時間を軽減できる。
【００６７】
しかも、各引掛形受電端子161の引掛爪部164が各引掛形給電端子82の上面に接合して引っ掛かることにより、従来のような板ばねによる係止構造に比べて、係止状態を安定させることができる。さらに、灯体12の自重が加わって各引掛形受電端子161の引掛爪部164が各引掛形給電端子82の上面に圧接することにより、各引掛形受電端子161と各引掛形給電端子82の接触圧が高く、電気的接続を確実にできる。また、引掛形給電端子82には係止突部84が設けられているため、各引掛形給電端子82の上面に圧接する各引掛形受電端子161の引掛爪部164が差込孔部79の方向に移動するように灯体12が回動しても、その引掛爪部164が係止突部84に当接して移動が規制されるので、灯体12が不用意に灯体取付ベース11から脱落することはない。
【００６８】
また、ランプ129を交換する場合には、ランプソケット115を照射開口104にほぼ垂直に向かう縦向きのランプ着脱位置に回動させることにより、照射開口104を通じて、ランプ129をランプソケット115に対して容易に着脱することができる。そして、ランプソケット115をランプ着脱位置に回動させることにより、電気接続手段183によりランプソケット115と引掛形受電端子161との電気的な接続を自動的に解除できるため、ランプソケット115に通電されていない状態でランプ129を交換できる。
【００６９】
また、メンテナンスや器具交換などのために灯体12を外す場合には、灯体12を押し上げながら、灯体12を底面から視て反時計回り方向に回動させ、各引掛形受電端子161の引掛爪部164を各引掛形給電端子82の係止突部84の上方を乗り越えさせて差込孔部79上に臨ませ、灯体12の押し上げを解除して下方へ移動させることにより、各引掛形受電端子161の引掛爪部164が各差込孔部79から下方へ抜け外れ、灯体12を灯体取付ベース11の灯体挿入部28から下方へ取り外すことができる。
【００７０】
そのため、灯体12の取り外し動作に伴って、灯体12の再装着が困難になることがなく、灯体12の着脱を簡単に行なえるのでメンテナンスも容易に行なえる。
【００７１】
また、メンテナンスや器具交換などのために灯体取付ベース11を天井板１から外す場合には、送りねじ37を操作して移動体38を上方（埋込方向）に移動させることにより、係止体39を灯体取付ベース11に対して相対的に上昇させて、フランジ部23との間での天井板１の挟持を解除し、さらに、移動体38を上方に移動させることにより、係止体39の外面がガイド片部47に係合し、このガイド片部47により係止体39が枠部22側に接近する非係合位置に移動される。そのため、灯体取付ベース11を下方へ移動させれば、灯体取付ベース11を天井板１の埋込孔２から容易に取り外すことができる。
【００７２】
そのため、灯体取付ベース11の取り外し動作に伴って、灯体取付ベース11の再装着が困難になることがなく、灯体取付ベース11の着脱を簡単に行なえるのでメンテナンスも容易に行なえる。
【００７３】
以上のように、天井板１の埋込孔２に灯体取付ベース11の枠部22を挿入することにより、枠部22の側方に係止体39が進出されていても、その係止体39が埋込孔２の内縁に当接することで非係合位置に退避移動しながら挿入でき、さらに、埋込孔２を通過した係止体39がスプリング40にて枠部22の側方の係合可能位置に進出移動するため、係止体39が天井板１の裏面側に係合して灯体取付ベース11を仮止めすることができ、しかも、仮止め状態で送りねじ37を操作することにより、係止体39とフランジ部23との間で天井板１を挟持して取り付けることができ、施工性を向上させることができる。
【００７４】
さらに、係止体39を枠部22の埋込方向に沿って移動可能とするとともに、係止体39を埋込方向の上端部に移動させることによってガイド片部47により係止体39を退避させるため、係止体39の移動に伴って、係止体39の退避、係止体39の突出、係止体39による天井板１の挟持の各動作を確実にできる。
【００７５】
しかも、係止体39が枠部22の埋込方向に沿って移動可能とするとともに、その埋込方向の一端側を支点として他端側が非係合位置および係合可能位置に回動されるため、係止体39の非係合位置への退避を円滑にできる。
【００７６】
また、灯体12の灯体容器101の頂部に設けられたガイド突部184により、灯体取付ベース11に対して容易に組み込めるようになるとともに、ガイド突部184を中心として同心的に設けられた一対の引掛形受電端子161を灯体取付ベース11側の引掛形給電端子82に対して容易に位置決めでき、灯体12の施工性を向上できる。
【００７７】
さらに、引掛形受電端子161がガイド突部184の近傍に設けられたため、引掛形受電端子161の位置決め精度を向上できる。
【００７８】
また、灯体取付ベース11の枠部22の頂部に設けられたガイド孔部61により、この枠部22に取り付けられる灯体12を容易に組み込めるようになるとともに、ガイド孔部61を中心として同心的に設けられた一対の引掛形給電端子82と灯体12側の引掛形受電端子161を容易に位置決めでき、灯体取付ベース11に対する灯体12の施工性を向上できる。
【００７９】
さらに、枠部22の頂部にガイド孔部61を中心として環状部62が設けられ、引掛形給電端子82がその環状部62に設けられたため、枠部22の使用材料を削減できるとともに、ガイド孔部61を中心とした一対の引掛形給電端子82の同心的配置を容易にできる。
【００８０】
しかも、枠部22の頂部に端子台63が設けられたため、特別な端子台が別途必要なく、部品点数の削減、構成の簡素化を図れる。
【００８１】
次に、図１０は第２の実施の形態の灯体12の斜視図を示す。
【００８２】
この実施の形態の灯体12は、ランプ接続方向が照射開口104に対して垂直な縦形である。灯体12の頂部のガイド突部184を上方に延設し、このガイド突部184の内側にランプソケット201を配置し、ガイド突部184の上方から通した取付ねじ202をランプソケット201に螺合して固定する。ランプソケット201から導出された一対のリード線203は、各引掛形受電端子161にそれぞれ接続する。
【００８３】
そして、この縦形の灯体12の場合にも、浅形の灯体12と同様に、灯体取付ベース11に対して装着され、同様の作用効果を奏する。
【００８４】
なお、灯体12としては、灯体取付ベース11の灯体挿入部28に挿入可能とするとともに引掛形受電端子161を備えれば、各種の灯体12を灯体取付ベース11に装着することができる。したがって、灯体取付ベース11を標準化し、この灯体取付ベース11を天井板１に固定しておけば、各種の灯体12を選択的に装着することができるとともに交換も容易にできる。
【００８５】
【発明の効果】
請求項１記載の灯体によれば、灯体本体の頂部に設けられたガイド突部を灯体取付ベースの円形のガイド孔部に挿入することにより、灯体本体の挿入方向と交差する方向の位置を灯体取付ベースに対して位置決めし、この灯体本体を灯体取付ベースに対して容易に組み込めるようになるとともに、ガイド突部を中心として同心的に設けられた一対の引掛形受電端子を灯体取付ベースの環状部に設けられた一対の係合孔および一対の引掛形給電端子に対して同じ円周位置に容易に位置決めでき、灯体本体を回動させるだけで一対の引掛形受電端子を環状部の一対の係合孔に挿通できて一対の引掛形給電端子に容易に接続でき、灯体の施工性を向上できる。しかも、ガイド突部の通気孔が灯体取付ベースのガイド孔部から通気可能にできる。
【００８６】
請求項２記載の灯体取付ベースによれば、枠部の頂部に設けられた円形のガイド孔部に請求項１記載の灯体のガイド突部を挿入することより、枠部に対して灯体の挿入方向と交差する方向の位置を位置決めし、この枠部に灯体を容易に組み込めるとともに、環状部にガイド孔部を中心として同心的に設けられた一対の係合孔および一対の引掛形給電端子に対して灯体側の一対の引掛形受電端子を同じ円周位置に容易に位置決めでき、灯体本体を回動させるだけで一対の引掛形受電端子を環状部の一対の係合孔に挿通できて一対の引掛形給電端子に容易に接続でき、灯体取付ベースに対する灯体の施工性を向上できる。しかも、ガイド孔部によりガイド突部の通気孔から通気可能にできる。
【００８７】
請求項３記載の灯体取付ベースによれば、請求項２記載の灯体取付ベースの効果に加えて、枠部の頂部に端子台が設けられたため、特別な端子台が別途必要なく、部品点数の削減、構成の簡素化を図れる。
【００８８】
請求項４記載の照明器具によれば、請求項１記載の灯体と、請求項２または３記載の灯体取付ベースとを具備しているため、施工性を向上できる。
【図面の簡単な説明】
【図１】本発明の第１の実施の形態を示すダウンライトの灯体取付ベースと灯体の分解状態の斜視図である。
【図２】同上実施の形態の灯体取付ベースの分解状態の斜視図である。
【図３】同上実施の形態の灯体の分解状態の斜視図である。
【図４】同上実施の形態の灯体取付ベースの底面図である。
【図５】同上実施の形態の灯体の平面図である。
【図６】同上実施の形態の図５のＡ−Ａ断面図である。
【図７】同上実施の形態の図６に示すランプソケットがランプ着脱位置に回動した図６に対応する断面図である。
【図８】同上実施の形態のダウンライトの施工状態の側面図である。
【図９】同上実施の形態の図８に示す灯体取付ベースを断面とした図８に対応する側面図である。
【図１０】本発明の第２の実施の形態を示す灯体の斜視図である。
【符号の説明】
11    灯体取付ベース
12    灯体
22    枠部
61    ガイド孔部
62    環状部
63    端子台
77 係合孔
82    引掛形給電端子
101  灯体本体としての灯体容器
150  台座部
161  引掛形受電端子
184  ガイド突部
185  通気孔
【図１】
0003596986.tif 000002
【図２】
0003596986.tif 000003
【図３】
0003596986.tif 000004
【図４】
0003596986.tif 000005
【図５】
0003596986.tif 000006
【図６】
0003596986.tif 000007
【図７】
0003596986.tif 000008
【図８】
0003596986.tif 000009
【図９】
0003596986.tif 000010
【図１０】
0003596986.tif 000011